【事件の表示】
　特願２００８−５５６２８３「脈拍数および血流の異常を非侵襲に検出するための装置および方法」拒絶査定不服審判事件〔平成１９年　８月３０日国際公開、ＷＯ２００７／０９７７１３、平成２１年　８月　６日国内公表、特表２００９−５２８０８１〕について、次のとおり審決する。
【結　論】
　本件審判の請求は、成り立たない。
【理　由】
第１　手続の経緯
　本願は、平成１８年１２月２９日（優先権主張　平成１８年２月２７日）を国際出願日とする国際出願（特願２００８−５５６２８３号）であって、平成２４年３月２日付けで拒絶理由が通知され、同年６月１２日付けで意見書が提出されるとともに、同日付けで手続補正がなされ、同年１２月１１日付けで拒絶理由が通知され、平成２５年４月３日付けで意見書が提出されるとともに、同日付けで手続補正がなされ、同年１０月２３日付けで拒絶査定がなされ、これに対して、平成２６年２月１９日に拒絶査定不服審判の請求がなされるとともに、同時に手続補正がなされたものである。
　
第２　本願の請求項１に係る発明
　本願の請求項１に係る発明（以下「本願発明」という。）は、平成２６年２月１９日付け手続補正により補正された特許請求の範囲の請求項１に記載されたとおり次のように特定されるものである。
　
「対象の生体の血流を非侵襲に監視するための装置であって、
　限局性の一方向の一定の磁場を生成するための磁気源と、
　単一の磁気センサを備え、前記単一の磁気センサが、前記磁気源から物理的に分離されて、前記磁場内に配置され、かつ、前記磁場を貫いて前記対象の生体の皮膚表面に近い血管内を流れる血流によって影響を受けた、前記限局性の一方向の一定の磁場の変調を検知する信号取得モジュールと、
　適切な増幅によって前記信号取得モジュールの出力を変換するための信号調整モジュールと、
　前記信号調整モジュールからの前記出力信号を処理するためのデジタル信号処理モジュールとを備え、
　これにより脈拍数および血流の異常を監視することができる装置。」
　
第３　引用例
１　原査定の拒絶の理由に引用され、本願の優先日前に頒布された刊行物である特開昭５６−８０２３０号公報（以下「引用例１」という。）には次の事項が記載されている。（下線は当審で付した。）
（１）「３．発明の詳細な説明
　本発明は
血圧、血流および脈拍を計測する体調測定機に関するものであり、特に
手首または腕の一部に装着するだけで常時計測できる
（２）「以下、本発明装置の一実施例を図面にしたがつて説明する。本発明装置は
腕時計型でデイスプレー面(2)を持つ本体(1)と、該本体(1)を腕に着装するとともに感知部(4)を有するバンド(3)からなる。
上記感知部(4)はバンド(3)の巾方向にはそれぞれ円柱状の永久磁石(a)に導線(b)を捲回したコイルセンサー(10)(11)が並設されるとともに該両コイルセンサー(10)(11)から離間したバンド方向の裏面に導電体のアース板(12)が取り付けられ、第１コイルセンサー(10)、アース板(12)および第２コイルセンサー(11)を直列に接続して上記本体(1)に入力する。該本体(1)内には電池電源が組み込まれＡＤ変換回路(13）、カウンター回路(14)、記憶回路(15)および表示回路(16)を駆動し前記デイスプレー面(2)に計測値を表示するようになる
（３）「上記構成になる本発明装置は被測定者の手首にバンド(3)によつて本体(1)を着装するだけで電源スイツチ(5)および選択用押釦スイツチ(6)を押してデイスプレー面(2)に表示された表示値により血圧の上下値、血流または脈拍数を計測できるものである。すなわちバンド(3)に配設された感知部(4)はアース板(12)が測定部位(A)に接地されるようになり、血管(B)内を流動する血液中の鉄分の増減を脈動による節部(B')の前後差をコイルセンサー(10)(11)から感知し、各計測センサー値とするものである。
コイルセンサー(10)(11)には血流の節部(B')が通過するとき前方が最高値、後方が最低値を示すもので、血液中の鉄分によりコイルセンサー(10)(11)の磁場を変化せしめることにより感知するようになり、この感知値をＡＤ変換回路(13)、カウンター回路(14)及び記憶回路(15)を介して血圧の上値、下値、血流または脈拍数を得る。
　以上のように本発明の体調測定機は腕時計型の極めて小型化された本体をバンドにより腕の一部に取り付けるだけで、腕を締めつける必要もなく簡単かつ確実に血圧値、血流および脈拍を計測することができるものであり、腕に取り付けたまま連続して計測することもでき本発明の有用性は極めて大である。」（第２ページ左上欄第１２行〜左下欄第６行）
（４）「
　　　　　　　　　　　　　　　　　　　　　」（第３ページ第１〜３図）
（５）「
　　　　　　　　　　　　　　　　　　　　　　　」（第３ページ第４図）
　
２　引用例１に記載された発明の認定
　上記記載（図面の記載も含む）を総合すれば、引用例１には、
「血圧、血流および脈拍を、手首または腕の一部に装着するだけで常時計測できる体調測定機に関するものであり、
　腕時計型でデイスプレー面(2)を持つ本体(1)と、該本体(1)を腕に着装するとともに感知部(4)を有するバンド(3)からなり、
　上記感知部(4)はバンド(3)の巾方向にはそれぞれ円柱状の永久磁石(a)に導線(b)を捲回したコイルセンサー(10)(11)が並設されるとともに該両コイルセンサー(10)(11)から離間したバンド方向の裏面に導電体のアース板(12)が取り付けられ、第１コイルセンサー(10)、アース板(12)および第２コイルセンサー(11)を直列に接続して上記本体(1)に入力し、該本体(1)内には電池電源が組み込まれＡＤ変換回路(13)、カウンター回路(14)、記憶回路(15)および表示回路(16)を駆動し前記デイスプレー面(2)に計測値を表示するようになり、
　コイルセンサー(10)(11)には血流の節部(B')が通過するとき前方が最高値、後方が最低値を示すもので、血液中の鉄分によりコイルセンサー(10)(11)の磁場を変化せしめることにより感知するようになり、この感知値をＡＤ変換回路(13)、カウンター回路(14)及び記憶回路(15)を介して血圧の上値、下値、血流または脈拍数を得る体調測定機。」の発明（以下「引用発明」という。）が記載されている。
　
第４　本願発明と引用発明の対比
１　ここで、本願発明と引用発明を対比する。
（１）引用発明の「血圧、血流および脈拍を、手首または腕の一部に装着するだけで常時計測できる体調測定機」が、本願発明の「対象の生体の血流を非侵襲に監視するための装置」に相当する。
（２）引用発明の「コイルセンサー(10)(11)」の「導線(b)」が「捲回」された「円柱状の永久磁石(a)」が、本願発明の「限局性の一方向の一定の磁場を生成するための磁気源」に相当する。
（３）引用発明の「コイルセンサー(10)(11)」が本願発明の「磁気センサ」に相当し、また、引用発明の「コイルセンサー（10)(11)」の「導線(b)」が「円柱状の永久磁石(a)」に「捲回」されることが、本願発明の「磁気センサが」「磁場内に配置され」、かつ、「磁場を貫いて」いることに相当し、さらに、引用発明の「血流の節部(B')が」「コイルセンサー(10)(11）」を「通過するとき血液中の鉄分によりコイルセンサー(10)(11)の磁場を変化せしめることにより感知する」ことが、本願発明の「対象の生体の皮膚表面に近い血管内を流れる血流によって影響を受けた、前記限局性の一方向の一定の磁場の変調を検知する」ことに相当するから、引用発明の「バンド(3)の巾方向」に「それぞれ円柱状の永久磁石(a)に導線（b)を捲回したコイルセンサー(10)(11）が並設され」、「コイルセンサー（10)(11)には血流の節部（B'）が通過するとき前方が最高値、後方が最低値を示すもので、血液中の鉄分によりコイルセンサー(10)(11)の磁場を変化せしめることにより感知するようにな」る「感知部(4)」と、本願発明の「単一の磁気センサを備え、前記単一の磁気センサが、前記磁気源から物理的に分離されて、前記磁場内に配置され、かつ、前記磁場を貫いて前記対象の生体の皮膚表面に近い血管内を流れる血流によって影響を受けた、前記限局性の一方向の一定の磁場の変調を検知する信号取得モジュール」とは、「磁気センサを備え、前記磁気センサが、前記磁場内に配置され、かつ、前記磁場を貫いて前記対象の生体の皮膚表面に近い血管内を流れる血流によって影響を受けた、前記限局性の一方向の一定の磁場の変調を検知する信号取得モジュール」である点で共通するといえる。
（４）引用発明の「ＡＤ変換回路(13)」と、本願発明の「前記信号調整モジュールからの前記出力信号を処理するためのデジタル信号処理モジュール」とは、「出力信号を処理するためのデジタル信号処理モジュール」である点で共通する。
（５）引用発明の「感知値をＡＤ変換回路(13)、カウンター回路(14)及び記憶回路(15)を介して血圧の上値、下値、血流または脈拍数を得る体調測定機」が、本願発明の「これにより脈拍数および血流を監視することができる装置」に相当する。
　
２　一致点
　したがって、本願発明と引用発明とは、
「対象の生体の血流を非侵襲に監視するための装置であって、
　限局性の一方向の一定の磁場を生成するための磁気源と、
　磁気センサを備え、前記磁気センサが、前記磁場内に配置され、かつ、前記磁場を貫いて前記対象の生体の皮膚表面に近い血管内を流れる血流によって影響を受けた、前記限局性の一方向の一定の磁場の変調を検知する信号取得モジュールと、
　出力信号を処理するためのデジタル信号処理モジュールとを備え、
　これにより脈拍数および血流を監視することができる装置。」
の発明である点で一致し、次の各点で相違する。
　
３　相違点
（１）相違点１
　磁気センサによって脈拍数および血流を監視するにあたり、本願発明においては、「単一」で「備え」られている磁気センサを用いるのに対し、引用発明では、（２つが）「並設」されている磁気センサを用いる点。
（２）相違点２
　磁気源と磁気センサの位置関係について、本願発明においては「物理的に分離されて」いるのに対し、引用発明においては、物理的に分離されているとはいえない点。
（３）相違点３
　本願発明は、「適切な増幅によって前記信号取得モジュールの出力を変換するための信号調整モジュール」を備えるのに対して、引用発明においては、その特定がない点。
　
第５　当審の判断
１　相違点の検討
（１）相違点１について
　磁気センサを用いた脈拍や血流の計測、監視装置において、どのような種類の磁気センサをどれだけ用いるかは、必要に応じて適宜選定し得ることであるから、引用発明においても、部品点数の削減や小型化等の要請に応じて、２つのコイルセンサ（磁気センサ）の１つを削除して、単一の磁気センサからなる構成に変更することに動機付けはあるといえる。
　そして、磁気センサを用いて脈拍や血流等を計測、監視する装置において、単一の磁気センサからなるものについては、例えば、特開平１０−３２８１５２号公報（【００１８】【００１９】【図１】【図２】参照）、特開２００１−１１２７２５号公報（【００６７】〜【００７１】【図５】参照）にも記載されているように周知であり（なお、上記の「特開平１０−３２８１５２号公報」「特開２００１−１１２７２５号公報」は、いずれも、原査定の平成２４年３月２日付けの拒絶理由において引用した刊行物である。）、単一の磁気センサで脈拍や血流等を計測、監視することが技術的に可能であることは裏付けられているといえるから、引用発明の２つの磁気センサを単一の磁気センサとして、上記相違点１に係る本願発明の発明特定事項を得ることは当業者が容易に想到し得たことである。
　
（２）相違点２について
　磁気源及び磁気センサを用いた装置において、磁気源に対する磁気センサの位置については、技術常識から、磁気源からの磁束線が通過する磁場内の位置であれば、磁気センサを配設可能であるということができ、上記の磁場内のどの位置に配設するかは、当該装置の構成等に起因する要請に応じて、当該磁場の強さや磁気センサの感度・精度等を勘案して適宜設定し得ることである。
　引用発明においても、磁気センサ(コイルセンサ）の位置は、永久磁石に巻回する位置に限定されるものではなく、永久磁石（磁気源）からの磁束線が通過する磁場内にあれば適宜の位置に配置可能であるといえるから、必要に応じて、永久磁石(磁気源）から「物理的に分離され」た位置に配置することとして、上記相違点２に係る本願発明の発明特定事項を得ることは当業者が容易に想到し得たことである。
　
（３）相違点３について
　「適切な増幅によって前記信号取得モジュールの出力を変換するための信号調整モジュール」すなわち増幅回路を含むモジュールについては、例を挙げるまでもなく周知である。
　そして、引用発明は、血液中の鉄分の通過による磁気変動をコイルセンサ（磁気センサ）によって電気信号で出力するものであり、その電気信号は極微弱な信号であることが予期されるものであるから、増幅回路を用いる動機付けは十分にあるといえる。よって、引用発明に、上記の周知の増幅回路を含むモジュールを採用し、上記相違点３に係る本願発明の発明特定事項を得ることは当業者が容易に想到し得たことである。
　
２　そして、本願発明によってもたらされる効果は、引用発明及び周知技術から当業者が予測し得る程度のものである。
　
３　まとめ
　したがって、本願発明は、引用発明及び周知技術に基いて当業者が容易に発明をすることができたものである。
　
第６　結言
　以上のとおり、本願発明は、引用発明及び周知技術に基いて当業者が容易に発明をすることができたものであり、特許法第２９条第２項の規定により特許を受けることができないから、その余の請求項に係る発明について論及するまでもなく、本願は拒絶すべきものである。
　
　よって、結論のとおり審決する。